(57)【特許請求の範囲】
【請求項１】
ＰＤＦデータの第１頁を前記ＰＤＦデータ以外の他の静止画データと重ねて同時に画面上に表示する際に、前記ＰＤＦデータの第１頁を、背景となる前記他の静止画データより画面上小さいアイコンとし、前記アイコンのデータを前記ＰＤＦデータ全体と関連付けて登録し、
前記他の静止画データと重ねて同時に画面上に表示可能な動画データを登録し、
前記ＰＤＦデータと前記他の静止画データを重ねて表示するように入力指示があったときは、当該選択された前記ＰＤＦデータの前記アイコンを特定し、
前記他の静止画データの画面上に表示される濃淡データを取得し、濃淡の差が最も小さい領域を空白領域として選択し、この領域に前記アイコンを表示させ、
また、前記選択で、前記動画データと前記他の静止画データを重ねて表示するように入力指示があったときは、前記濃淡の差が最も小さい領域を空白領域として選択し、この領域に前記動画データを表示させることを特徴とするコンテンツ作成システム。
【請求項２】
前記ＰＤＦデータは、頁毎に関連するデータ識別番号と関連付けて記憶されると共に、前記動画データは、前記動画データ毎に関連するデータ識別番号と関連付けて登録され、
登録されている前記データ識別番号が、編集用にディスプレイに表示され、表示されている前記データ識別番号を特定することで、入力情報が生成され、この入力情報でデータが選択されることを特徴とする請求項１に記載のコンテンツ作成システム。
【請求項３】
前記コンテンツが、薬紹介コンテンツであって、
実際に表示された端末の操作履歴情報を、当該端末のＭＲの売上データと関連付けて記憶する構成となっていることを特徴とする請求項１又は請求項２に記載のコンテンツ作成システム。
【発明の詳細な説明】
【技術分野】
【０００１】
本発明は、例えば、複数の異なる種類のデータを組み合わせて、一つの纏まりのあるデータ群であるコンテンツを生成するためのコンテンツ作成システムに関するものである。
【背景技術】
【０００２】
従来より、通信端末に対して自動的にファイルの配布を行う提案等が行われている（例えば、特許文献１）。
【先行技術文献】
【特許文献】
【０００３】
【特許文献１】特開２００８−２１７０５７号公報（段落０００４等）
【発明の概要】
【発明が解決しようとする課題】
【０００４】
しかし、このような通信端末に配布されるファイルが単一の種類のデータから成っている場合は、利用者が比較的容易にファイルを作成することができるが、複数の種類のデータ、例えば、ＰＤＦや画像データ等を組み合わせて一つのファイルを作成する場合は、利用者が容易に作成することができず、その都度、専門業者に依頼してファイルを作成しなければならないという問題があった。
【０００５】
そこで、本発明は、複数の種類のデータであっても容易に組み合わせて一つの纏まりのあるデータ群であるコンテンツを作成することができるコンテンツ作成システムを提供することを目的とする。
【課題を解決するための手段】
【０００６】
前記課題は、本発明によれば、ＰＤＦデータの第１頁を前記ＰＤＦデータ以外の他の静止画データと重ねて同時に画面上に表示する際に、前記ＰＤＦデータの第１頁を、背景となる前記他の静止画データより画面上小さいアイコンとし、前記アイコンのデータを前記ＰＤＦデータ全体と関連付けて登録し、前記他の静止画データと重ねて同時に画面上に表示可能な動画データを登録し、前記ＰＤＦデータと前記他の静止画データを重ねて表示するように入力指示があったときは、当該選択された前記ＰＤＦデータの前記アイコンを特定し、前記他の静止画データの画面上に表示される濃淡データを取得し、濃淡の差が最も小さい領域を空白領域として選択し、この領域に前記アイコンを表示させ、また、前記選択で、前記動画データと前記他の静止画データを重ねて表示するように入力指示があったときは、前記濃淡の差が最も小さい領域を空白領域として選択し、この領域に前記動画データを表示させることを特徴とするコンテンツ作成システムにより達成される。
【０００７】
好ましくは、前記ＰＤＦデータは、頁毎に関連するデータ識別番号と関連付けて記憶されると共に、前記動画データは、前記動画データ毎に関連するデータ識別番号と関連付けて登録され、登録されている前記データ識別番号が、編集用にディスプレイに表示され、表示されている前記データ識別番号を特定することで、入力情報が生成され、この入力情報でデータが選択されることを特徴とする。
【０００８】
好ましくは、前記コンテンツが、薬紹介コンテンツであって、実際に表示された端末の操作履歴情報を、当該端末のＭＲの売上データと関連付けて記憶する構成となっていることを特徴とする。
【発明の効果】
【００２３】
本発明は、複数の種類のデータであっても容易に組み合わせて一つの纏まりのあるデータ群であるコンテンツを作成することができるコンテンツ作成システムを提供できるという利点がある。
【図面の簡単な説明】
【００２４】
【図１】本発明の情報管理システムである例えば、携帯端末用コンテンツ作成システムを示す概略図である。
【図２】図１のタブレット型端末の主な構成を示す概略ブロック図である。
【図３】図１の管理サーバの主な構成を示す概略ブロック図である。
【図４】図３の第１記憶部に記憶されている各種処理部（プログラム）等を示す概略ブロック図である。
【図５】図３の第１記憶部に記憶されている各種処理部（プログラム）等を示す他の概略ブロック図である。
【図６】図１の編集端末の主な構成を示す概略ブロック図である。
【図７】図１の編集端末からコンテンツを構成する各データを管理サーバに個別に入力するデータ入力工程を示す概略フローチャートである。
【図８】図１の編集端末からコンテンツを構成する各データを管理サーバに個別に入力するデータ入力工程を示す他の概略フローチャートである。
【図９】薬紹介コンテンツの編集工程を示す概略フローチャートである。
【図１０】薬紹介コンテンツの編集工程を示す他の概略フローチャートである。
【図１１】タブレット型端末の表示履歴等収集工程を示す概略フローチャートである。
【図１２】コンテンツ編集用データベースに記録されているコンテンツ編集用データの一例を示す概略図である。
【発明を実施するための形態】
【００２５】
以下、この発明の好適な実施の形態を添付図面等を参照しながら、詳細に説明する。
尚、以下に述べる実施の形態は、本発明の好適な具体例であるから、技術的に好ましい種々の限定が付されているが、本発明の範囲は、以下の説明において特に本発明を限定する旨の記載がない限り、これらの態様に限られるものではない。
【００２６】
図１は、本発明の情報管理システムである例えば、携帯端末用コンテンツ作成システム１を示す概略図である。
図１に示すように、携帯端末用コンテンツ作成システム１は、携帯端末である例えば、タブレット型端末１０を有している。
タブレット型端末１０は、図１に示すように全体が平板状の外形を備え、その表示装置である例えば、タブレット型端末ディスプレイ１１を有し、このタブレット型端末ディスプレイ１１にはタッチパネル式等の入力部を備えている。
このため、タブレット型端末１０の操作者は、タブレット型端末ディスプレイ１１に触れることで、入力等の操作を自在にすることができる。
【００２７】
また、携帯端末用コンテンツ作成システム１は、図１に示すように、タブレット型端末１０に表示するためのコンテンツを管理し、若しくはタブレット型端末１０に送信等するための情報管理装置である例えば、管理サーバ４０を有している。
この管理サーバ４０は、図１に示すように、インターネット網２及び基地局３等を介して、移動可能なタブレット型端末１０と通信可能な構成となっている。
また、携帯端末用コンテンツ作成システム１は、図１に示すように、編集端末９０を有し、インターネット網２を介して管理サーバ４０と通信可能に接続されている。
この編集端末９０は、上述のタブレット型端末１０に提供するためのコンテンツを構成するデータ等を管理サーバ４０へ提供するとともに、コンテンツの構成を特定等して、管理サーバ４０に記憶させることができる構成ともなっている。
【００２８】
上述のタブレット型端末１０、管理サーバ４０及び編集端末９０は、コンピュータを有し、図示しないＣＰＵ（Ｃｅｎｔｒａｌ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）等を有し、これらは、バス等を介して接続されている。
【００２９】
なお、バスは、すべてのデバイスを接続する機能を有し、アドレスバスやデータバスを有する内部バスである。ＣＰＵ等は所定のプログラムの処理を行う他、バス等に接続されたＲＯＭ等を制御している。ＲＯＭ等は、各種プログラムや各種情報等を格納している。ＲＡＭは、プログラム処理中のメモリの内容を対比し、プログラムを実行するためのエリアとしての機能も有する。
【００３０】
図２は、図１のタブレット型端末１０の主な構成を示す概略ブロック図である。図２に示すように、タブレット型端末１０は、タブレット型端末制御部１２を有し、このタブレット型端末制御部１２によって、図２に示す携帯端末側表示装置である例えば、タブレット型端末ディスプレイ１１、タブレット型端末通信装置１３、タブレット型端末１０の基本的動作等を行うタブレット型端末本体１４及びタブレット型入力装置１５等を制御している。
【００３１】
図３は、図１の管理サーバ４０の主な構成を示す概略ブロック図である。図３に示すように、管理サーバ４０は、管理サーバ制御部４１を有し、この管理サーバ制御部４１によって、図３に示す管理サーバ通信装置４２、管理サーバディスプレイ４３、キーボード等の管理サーバ入力装置４４等を制御している。
また、管理サーバ制御部４１は、図３に示すように、第１記憶部５０及び第２記憶部７０も制御しており、この第１記憶部５０は、例えば、各種処理部（プログラム）等を記憶し、第２記憶部７０は、例えば、各種記憶部等を記憶している。なお、これら各種処理部等や各種記憶部等の内容は後述する。
【００３２】
なお、上述の第１記憶部５０及び第２記憶部７０の区分は、説明の便宜上の区分であり、本発明は、かかる構成と異なる構成としても構わないことは、勿論である。
図４及び図５は、図３の第１記憶部５０に記憶されている各種処理部（プログラム）等を示す概略ブロック図である。
【００３３】
図６は、図１の編集端末９０の主な構成を示す概略ブロック図である。図６に示すように、編集端末９０は、編集端末制御部９１を有し、この編集端末制御部９１によって、図６に示す編集端末通信装置９２、表示装置である例えば、編集端末ディスプレイ９３及び編集端末入力装置９４等を制御している。また、編集端末制御部９１は、図６に示す各種記憶部９５も制御する。
【００３４】
図７乃至図１１は、携帯端末用コンテンツ作成システム１の主な動作等を示す概略フローチャートである。
以下、図７等のフローチャートに沿って、携帯端末用コンテンツ作成システム１の動作等を説明すると共に、図１乃至図６等の構成も併せて説明する。
本実施の形態の携帯端末用コンテンツ作成システム１は、例えば、図１の編集端末９０が、製薬会社内に配置されている。また、タブレット型端末１０は、その製薬会社の社員である例えば、医薬情報担当者（ＭＲ：Ｍｅｄｉｃａｌ  Ｒｅｐｒｅｓｅｎｔａｔｉｖｅ）が所持して、病院等を訪問し、医師等に自社の製品である薬について説明する際に使用される。
すなわち、製薬会社に配置されている編集端末９０から、タブレット型端末１０に提供すべきコンテンツ（例えば、薬の説明資料）を作成し、この作成されたコンテンツを図１の管理サーバ４０に記憶する。そして、管理サーバ４０は、このコンテンツをタブレット型端末１０に送信する構成となっている。
また、タブレット型端末１０に送信されたコンテンツを実際に医師等に説明するときは、このコンテンツをどのように医師等に示したかの履歴データを、タブレット型端末１０が取得し，管理サーバ４０へ送信する構成ともなっている。
以下、詳細に説明する。
【００３５】
図７及び図８は、図１の編集端末９０からコンテンツを構成する各データを管理サーバ４０に個別に入力するデータ入力工程を示す概略フローチャートである。
本工程では、例えば、製薬会社の薬パンフレット作成の担当者が、特定の薬の紹介用のコンテンツである薬紹介コンテンツを作成するための前提として、薬紹介コンテンツを構成する各データを入力する工程である。
このデータは、特定の薬を紹介するためのコンテンツを構成するものであるから、その必要に応じて、例えば、ＰＤＦ（Ｐｏｒｔａｂｌｅ  Ｄｏｃｕｍｅｎｔ  Ｆｏｒｍａｔ）、動画（例えば、Ｍｏｔｉｏｎ  Ｐｉｃｔｕｒｅ  Ｅｘｐｅｒｔｓ  Ｇｒｏｕｐ等）、ＨＴＭＬ、ＷＯＲＤ、ＥＸＣＥＬ、ＰＯＷＥＲ  ＰＯＩＮＴ等の各データ種が含まれる。
また、この薬紹介コンテンツは、図１のタブレット型端末１０に提供され、そのタブレット型端末ディスプレイ１１に表示される。
【００３６】
図７のＳＴ１では、図１の編集端末９０が、管理サーバ４０にアクセスし、通信を開始する。具体的には、図６の編集端末通信装置９２と図３の管理サーバ通信装置４２が動作し、図１のインターネット網２を介して通信を行う。
次いで、ＳＴ２へ進む。ＳＴ２では、管理サーバ４０が、編集端末９０に、その識別情報である例えば、ＩＤ番号やパスワードの入力を求める。
この求めに応じて、編集端末９０の操作者が、編集端末９０の編集端末入力装置９４からＩＤ番号及びパスワードを入力すると、ＳＴ３へ進む。
【００３７】
ＳＴ３では、図４の管理サーバ４０が、編集端末９０から送信されたＩＤ番号及びパスワードが正しいか否かを判断する。
具体的には、図４の管理サーバ４０の認証処理部（プログラム）５１が動作し、図３の認証データ記憶部７１を参照する。すなわち、認証データ記憶部７１には、当該編集端末９０のＩＤ番号及びパスワードデータが予め記憶されている。
したがって、認証処理部（プログラム）５１は、編集端末９０から送信されたＩＤ番号及びパスワードが、認証データ記憶部７１内に対応する編集端末９０のＩＤ番号及びパスワードと一致するか否かを判断する。
【００３８】
ＳＴ３で、入力したＩＤ番号及びパスワードが正しい場合は、ＳＴ４へ進み、編集端末９０からの特定の薬の薬紹介コンテンツ用の各データの入力が許可される。
ＳＴ４では、当該薬紹介コンテンツの概要データである「記事データ」の入力要求が編集端末ディスプレイ９３に表示される。
すると、編集端末９０の操作者は、図６の編集端末入力装置９４を操作して、例えば、テキストデータ等で「記事データ」を入力する。
【００３９】
次いでＳＴ５へ進む。ＳＴ５では、「記事データ」が入力されたか否かを管理サーバ４０が判断する。具体的には、図４の記事データ入力判断処理部（プログラム）５２が判断し、入力データがテキストデータ等の所定のデータで、且つ所定の文字数の範囲内のデータか否かを判断する。
【００４０】
ＳＴ５で、入力された「記事データ」が所定のデータ種で、且つ所定の文字数であると判断されると、ＳＴ６へ進む。
ＳＴ６では、編集端末９０から入力されたデータを当該薬紹介コンテンツの「記事データ」として、コンテンツ編集用データベース７２に記憶する。
【００４１】
次いで、ＳＴ７へ進む。ＳＴ７以降では、「記事データ」が入力された後、当該薬紹介コンテンツの「記事データ」の具体的な内容を構成する各データの入力の工程である。
先ず、ＳＴ７では、管理サーバ４０が、編集端末９０にデータが入力されたか否かを判断し、データが入力されたと判断された場合、ＳＴ８へ進む。
ＳＴ８では、管理サーバ４０が、ＳＴ７で入力されたデータのデータ種（テキスト、ＰＤＦ、動画、ＷＯＲＤ等）を特定する。具体的には、図４のデータ種特定部である例えば、入力データ種類特定処理部（プログラム）５３が判断する。
【００４２】
次いで、ＳＴ９へ進む。ＳＴ９では、入力されたデータがＰＤＦデータであるか否かを判断する。具体的には、管理サーバ４０の図４のＰＤＦデータ判断処理部（プログラム）５４が判断する。
【００４３】
ＳＴ９で、入力されたデータがＰＤＦデータであると判断された場合は、ＳＴ１０へ進む。ＳＴ１０では、当該データがＰＤＦデータあることのみならず、当該データにデータ識別番号を付して、データ記憶部である例えば、管理サーバ４０の図３に示すコンテンツ編集用データベース７２に記憶される。具体的には、図４のデータ登録処理部５５が動作して処理を実行する。
【００４４】
図１２は、コンテンツ編集用データベース７２に記録されているコンテンツ編集用データ７２ａの一例を示す概略図である。
図１２に示すように、一つのコンテンツ編集用データ７２ａでは、記事データ、ＰＤＦデータ等の各データ種が記憶されるときに、それぞれのデータに、データ識別番号が付される。
すなわち、図１２の例では、例えば、記事データのデータ識別番号は「１」でＰＤＦデータ（Ａ）のデータ識別番号は「２」として登録される。
すなわち、本実施の形態では、編集端末９０から入力された各データは、そのデータ種が特定され、独自のデータ識別番号を付され、データ毎に区分して記憶される。
【００４５】
次いで、ＳＴ１１へ進む。ＳＴ１１では、図４の画像変換アイコン生成処理部（プログラム）５６が動作して、ＰＤＦデータ（頁区分データの一例）として登録されたデータの第１頁の全体を画像（静止画）データに変換し、アイコン（処理実行選択用標識部の一例）化して、管理サーバ４０の図３のアイコン記憶部７３に、コンテンツ編集用データ７２に記憶されている当該ＰＤＦデータと関連付けて登録される。
【００４６】
次いで、ＳＴ１２に進む。ＳＴ１２では、図４のＰＤＦ頁確認処理部（プログラム）５７が動作して、ＳＴ１０でＰＤＦデータとして登録されたデータが、複数の頁データを有するか否かを判断する。
【００４７】
ＳＴ１２で、ＰＤＦデータが、複数の頁データを有する場合は、ＳＴ１３へ進む。ＳＴ１３では、図４のデータ登録処理部（プログラム）５５が動作し、ＰＤＦデータの頁毎に、データ識別番号である例えば、「枝番」が付され、コンテンツ編集用データベース７２に登録される。
本実施の形態では、例えば、図１２に示すように、「枝番名称」と共に「枝番」が付され、関連するデータ識別番号と関連付けられて登録される。
したがって、本実施の形態では、複数の頁を含む個々のＰＤＦデータ全体のみならず、そのＰＤＦデータに含まれる頁毎についても分けて別々に登録されるので、後述する薬紹介コンテンツを編集する際に、ＰＤＦデータの頁単位毎の編集が行い易い構成となっている。
【００４８】
次いで、ＳＴ１４へ進む。後述する薬紹介コンテンツを編集する際に、ＰＤＦデータを他のデータ（テキストデータやＷＯＲＤデータ等）と重ねて同時に画面上表示するように指定する場合がある。
このとき、ＰＤＦデータを全て画面に表示したのでは、他のデータを表示できなくなるため、必要に応じてＰＤＦデータ全体を表示するため、ＰＤＦデータをアイコン記憶部７３のアイコンで表示する。
このアイコンは、小さなものであるため、背景となる他のデータのどこにでも配置することが可能となる。
このように構成することで、タブレット型端末１０のタブレット型端末ディスプレイ１１に薬紹介コンテンツを表示させ易く、且つ見易い構成とすることができる。
本実施の形態では、ＳＴ１４では、このアイコンを背景となる他のデータのどの位置に配置するかを、管理サーバ４０の自動設定に任せるか否かの質問が、編集端末９０の編集端末ディスプレイ９３に表示される構成となっている。
【００４９】
ＳＴ１４で、編集端末９０の操作者が、アイコンについて、管理サーバ４０の自動設定を選択しない場合、ＳＴ１５へ進む。
ＳＴ１５では、管理サーバ４０が、編集端末９０の編集端末ディスプレイ９３に、編集端末９０の操作者が希望するアイコンの位置（座標位置）を入力するための入力画面を表示する。
そして、操作者がその希望するアイコン位置を編集端末入力装置９４を用いて入力すると、管理サーバ４０の座標データ登録処理部（プログラム）５８により、当該入力されたアイコン位置（座標位置データ）が、図３のコンテンツ編集用データ７２に登録される。
このアイコン位置は、例えば、図１２の「ＰＤＦアイコン位置座標データ」で示すように、当該ＰＤＦデータとの関係で記憶される。
したがって、後述する薬紹介コンテンツを編集する際に、ＰＤＦデータのアイコンを他のデータとの関係で、任意の好ましい位置に配置させることができる。
【００５０】
また、ＳＴ１４でアイコン位置自動設定を希望する旨の入力が編集端末入力装置９４からあった場合、図３のコンテンツ編集用データベース７２に、その旨が当該ＰＤＦデータと関連付けられて記憶される。
例えば、図１２の例では、当該ＰＤＦデータに対応するＰＤＦ位置座標データの欄に「なし」等の登録がなされる。
【００５１】
一方、ＳＴ９で、編集端末９０から入力されたデータがＰＤＦデータでない場合は、ＳＴ１６へ進む。ＳＴ１６では、管理サーバ４０の図４の動画データ判断処理部（プログラム）５９が動作して、当該入力されたデータが、区分データである例えば、Ｍｏｔｉｏｎ  Ｐｉｃｔｕｒｅ  Ｅｘｐｅｒｔｓ  Ｇｒｏｕｐ等の動画データ（画像データの一例）であるか否かを判断する。
【００５２】
ＳＴ１６で、入力されたデータが動画データであると判断された場合は、ＳＴ１７へ進む。ＳＴ１７では、当該データが動画データであることのみならず、当該データにデータ識別番号を付して、管理サーバ４０の図３に示すコンテンツ編集用データベース７２に記憶される。具体的には、図４のデータ登録処理部（プログラム）５５が動作して処理を実行する。
また、このように登録された動画データは、図１２の例では、データ識別番号「３」の「動画（ｃ）」として登録される。
このように、本実施の形態では、編集端末９０から入力されたデータが、動画データであるか否かが特定され、独自のデータ識別番号を付され、動画データ毎に区分して記憶されることになる。
【００５３】
次いで、ＳＴ１８へ進む。ＳＴ１８では、図４の画像データ個数確認処理部（プログラム）６０が動作し、ＳＴ１７で、動画データとして登録されたデータが、更に、複数の下記画像データである例えば、下位動画データを含むか否かを判断する。
【００５４】
ＳＴ１８で、動画データが、複数の下位動画データを含んでいると判断した場合は、ＳＴ１９へ進む。ＳＴ１９では、図４のデータ登録処理部（プログラム）５５が動作し、動画データに含まれる下位動画データの個々に、データ識別番号である例えば、「枝番」が付され、コンテンツ編集用データベース７２に登録される（図１２参照）。
本実施の形態では、例えば、図１２に示すように、「枝番名称」と共に「枝番」が付され、関連するデータ識別番号と関連付けられて登録される。
したがって、本実施の形態では、個々の動画データ全体のみならず、その動画データに含まれる各下位動画データ毎についても別々に分けて登録されるので、後述する薬紹介コンテンツを編集する際に、各動画データ（若しくは下位動画データ）単位毎の編集が行い易い構成となっている。
【００５５】
次いで、ＳＴ２０へ進む。ＳＴ２０では、後述する薬紹介コンテンツを編集する際に、動画データ（若しくは下位動画データ）（以下「動画データ等」という）を他のデータ（テキストデータやＷＯＲＤデータ等）と重ねて同時に画面上表示するように指定する場合がある。このとき、動画データ等は、背景となる他のデータのどこにでも配置することができる。
そこで、本実施の形態では、ＳＴ２０では、この動画データ等を背景となる他のデータのどの位置に配置するかを、管理サーバ４０の自動設定に任せるか否かの質問が、編集端末９０の編集端末ディスプレイ９３に表示される。
【００５６】
ＳＴ２０で、編集端末９０の操作者が、動画データ等について、管理サーバ４０の自動設定を選択しない場合、ＳＴ２１へ進む。
ＳＴ２１では、管理サーバ４０が、編集端末９０の編集端末ディスプレイ９３に、編集端末９０の操作者が希望する動画データ等の位置（座標位置）を入力するための入力画面を表示する。
そして、操作者がその希望する動画データ等の位置を編集端末入力装置９４を用いて入力すると、管理サーバ４０の座標データ登録処理部（プログラム）５８により、当該入力された動画データ等位置（座標位置データ）が、図３のコンテンツ編集用データ７２に登録される。
この動画データ等位置は、例えば、図１２の「動画位置座標データ」で示すように、当該動画データ等との関係で記憶される。
したがって、後述する薬紹介コンテンツを編集する際に、動画データ等を他のデータとの関係で、任意の好ましい位置に配置させることができる。
【００５７】
また、ＳＴ２０で動画データ等の位置自動設定を希望する旨の入力が編集端末入力装置９４からあった場合、図３のコンテンツ編集用データベース７２に、その旨が当該動画データ等と関連付けられて記憶される。
例えば、図１２の例では、当該動画データ等に対応する動画データ位置座標データの欄に「なし」等の登録がなされる。
【００５８】
一方、ＳＴ１６で、入力されたデータが動画データでない場合は、当該入力されたデータは、ＰＤＦデータ及び動画データ以外のデータとなる。そして、これらのデータは、図４のデータ登録処理部５５が動作して、それぞれにデータ識別番号が付されて、図３のコンテンツ編集用データベース７２に登録される
例えば、図１２に示す例では、データ識別番号「４」で、例えば、テキストデータとして登録される。
以上で、データ入力工程が終了し、図４のコンテンツ編集用データベース７２には、薬紹介コンテンツの作成に利用するＰＤＦデータや動画データ等の各種データが図１２に示すように、データ識別番号を付して登録されることになる。
【００５９】
続いて、製薬会社の担当者が、編集端末９０を操作して、具体的な薬紹介コンテンツを作成する工程となる。具体的には、図７及び図８のデータ入力工程で、コンテンツ編集用データベース７２に、データ識別番号と関連付けて登録されている各種データを編集等することにより行う。
図９及び図１０は、薬紹介コンテンツの編集工程を示す概略フローチャートである。
先ず、ＳＴ３１では、製薬会社の担当者が編集端末９０を介して、図１の管理サーバ４０にアクセスし、認証工程等を経て、編集端末ディスプレイ９３に、コンテンツ編集用データベース７２に登録されているデータをデータ識別番号毎に表示させる。
このとき、編集端末ディスプレイ９３には、各データがツリー状又は碁盤の目状等に表示され、操作者が編集端末入力装置９４を操作し、表示されている当該データをクリック等して特定することで、入力情報が生成され、この入力情報でデータが選択される構成となっている。
【００６０】
また、この編集工程では、薬紹介コンテンツの作成プログラムが動作し、データの表示順や配置方法等については、管理サーバ４０に、幾つかの表示パターンがテンプレートとして記憶されている。
したがって、操作者は、この表示パターンを選択し、その後は、その表示パターンの表示順に、データ識別番号と関連付けて登録されている各種データを割り当てることで、所望の薬紹介コンテンツを作成することができる構成となっている。
また、編集後の薬紹介コンテンツのデータは、管理サーバ４０の図３の編集済みコンテンツデータ記憶部７４に記憶される。
【００６１】
このような編集工程が実行されているときに、ＳＴ３２が実行される。すなわち、管理サーバ４０の図４の編集操作判断処理部（プログラム）６１が動作し、編集端末入力装置９４からの指示が、ＰＤＦデータと他のデータを重ねて表示することとなるか否かを判断する。例えば、ＰＤＦデータ上に、他のデータを重ねて表示されるように入力指示されたか否かを判断する。
【００６２】
ＳＴ３２で、ＰＤＦデータ上に、他のデータを重ねて表示されるように入力指示されたと判断された場合は、ＳＴ３３へ進む。ＳＴ３３では、管理サーバ４０の図４のＰＤＦアイコン特定処理部（プログラム）６２が、図３のアイコン記憶部７３を参照し、当該選択されたＰＤＦデータのアイコンを特定する。
【００６３】
次いで、ＳＴ３４へ進む。ＳＴ３４では、管理サーバ４０の自動表示設定判断処理部（プログラム）６３が動作して、図３のコンテンツ編集用データベース７２を参照し、当該ＰＤＦデータに対応するＰＤＦアイコン位置座標データ（図１２参照）を参照し、当該ＰＤＦデータのＰＤＦアイコンは自動設定か否かを判断する。
【００６４】
ＳＴ３４で、自動設定の登録となっていると判断された場合は、ＳＴ３５へ進む。ＳＴ３５では、管理サーバ４０の図５に示す自動表示設定処理部（プログラム）６４が動作し、上述の他のデータの画面上に表示される文字図形等の濃淡データを取得する。
そして、これら取得した濃淡データのうち、濃淡の差が最も小さい領域（座標データで特定）を空白領域として選択して、当該ＰＤＦアイコンの位置情報として、図３の編集済みコンテンツデータ記憶部７４に記憶させる。
【００６５】
したがって、本実施の形態では、操作者がＰＤＦデータのアイコンと他のデータの記載等が重なり合わないように、座標等を選択して設定しなくても、管理サーバ４０が、その空白領域を自動的に選択するので、操作者にとって、極めて簡易且つ見易い画面を作成することができる。
すなわち、操作者は、他のデータの表示とＰＤＦデータのアイコンと画面上、重なり見難くなることを容易に回避することができる。
【００６６】
ＳＴ３４で、自動設定の登録となっていないと判断された場合は、ＳＴ３６へ進む。ＳＴ３６では、図５の表示位置設定処理部（プログラム）６５が動作し、図３のコンテンツ編集用データベース７２に記憶されている図１２に示すＰＤＦアイコン位置座標データに基づき、他のデータにおけるＰＤＦデータのアイコン位置を特定し、図３の編集済みコンテンツデータ記憶部７４に記憶する。
したがって、ＳＴ３６の場合は、ＰＤＦデータのアイコンを他のデータに対して、所望の位置（中央等）表示させることができる。
【００６７】
次いで、ＳＴ３７へ進む。ＳＴ３７では、管理サーバ４０の図４の編集操作判断処理部（プログラム）６１が動作し、編集端末入力装置９４からの指示が、動画データ等と他のデータを重ねて表示することとなっているか否かを判断する。例えば、他のデータ上に、動画データ等を重ねて表示されるように入力指示されたか否かを判断する。
【００６８】
次いで、ＳＴ３８へ進む。ＳＴ３８では、管理サーバ４０の自動表示設定判断処理部（プログラム）６３が動作して、図３のコンテンツ編集用データベース７２を参照し、当該動画データ等に対応する動画位置座標データ（図１２参照）を参照し、当該動画データ等は自動設定か否かを判断する。
【００６９】
ＳＴ３８で、自動設定の登録となっていると判断された場合は、ＳＴ３９へ進む。ＳＴ３９では、管理サーバ４０の図５に示す自動表示設定処理部（プログラム）６４が動作し、上述の他のデータの画面上に表示される文字図形等の濃淡データを取得する。
そして、これら取得した濃淡データのうち、濃淡の差が最も小さい領域（座標データで特定）を空白領域として選択して、当該動画データ等の位置情報として、図３の編集済みコンテンツデータ記憶部７４に記憶させる。
【００７０】
したがって、本実施の形態では、操作者が動画データ等と他のデータの記載等が重なり合わないように、座標等を選択して設定しなくても、管理サーバ４０が、その空白領域を自動的に選択するので、操作者にとって、極めて簡易且つ見易い画面を作成することができる。
すなわち、操作者は、他のデータの表示と動画データ等と画面上、重なり見難くなることを容易に回避することができる。
【００７１】
ＳＴ３８で、自動設定の登録となっていないと判断された場合は、ＳＴ４０へ進む。ＳＴ４０では、図５の表示位置設定処理部（プログラム）６５が動作し、図３のコンテンツ編集用データベース７２に記憶されている図１２に示す動画位置座標データに基づき、他のデータにおける動画データ等の位置を特定し、図３の編集済みコンテンツデータ記憶部７４に記憶する。
したがって、ＳＴ４０の場合は、動画データ等は、他のデータに対して、所望の位置（中央等）表示させることができる。
【００７２】
このような工程を経て、編集端末入力装置９４からの入力に基づき、薬紹介コンテンツの内容が編集され、作成される。
そして、ＳＴ４１へ進む。ＳＴ４１では、編集端末９０による編集、すなわち、薬紹介コンテンツの作成が終了したか否かが判断される。
【００７３】
次いで、ＳＴ４２へ進む。ＳＴ４２では、管理サーバ４０の図５に示すタブレット型端末用ファイル作成処理部（プログラム）６６が動作し、日付及びダウンロードパス情報からタブレット型端末１０用ファイルを作成し、タブレット型端末１０で利用する薬紹介コンテンツのサムネール一覧表示用の画面データをサーバーブ生成する。
これにより、図３の編集済みコンテンツデータ記憶部７４内の薬紹介コンテンツのデータは、図１のタブレット型端末１０で表示可能なデータとなる。
【００７４】
次いで、ＳＴ４３へ進む。ＳＴ４３では、管理サーバ４０の図５の暗号化等実行処理部（プログラム）６７が動作し、図３の編集済みコンテンツデータ記憶部７４内の編集済みコンテンツデータからＸＭＬを抽出し、同データのデータ識別番号（若しくは枝番）毎にデータを暗号化し、圧縮処理する。
これにより、薬紹介コンテンツがタブレット型端末１０に送信された後、同端末１０で同コンテンツの内容が変更させられたとしても、データの暗号化をやり直す必要がなく、データの安全性を確保しつつ、同コンテンツの内容を変更することができる。
【００７５】
以上で、薬紹介コンテンツの編集工程が終了し、編集（作成）された薬紹介コンテンツは、編集済みコンテンツデータ記憶部７４に記憶されられる。
次いで、このように、管理サーバ４０の編集済みコンテンツデータ記憶部７４内の個々の編集済みコンテンツデータを、図１に示す各タブレット型端末１０に表示し、その表示履歴等を取得する工程となる。
【００７６】
図１１は、タブレット型端末１０の表示履歴等収集工程を示す概略フローチャートである。
本実施の形態では、各タブレット型端末１０は、製薬会社の医薬情報担当者（ＭＲ）が所持し、病院等の医師等に対し、特定の薬の説明に使用する。具体的には、タブレット型端末１０のタブレット型端末ディスプレイ１１に、編集済みコンテンツデータ７２ａである薬紹介コンテンツを表示させて説明する。以下、具体的に説明する。
【００７７】
先ず、図１１のＳＴ５１では、図１のタブレット型端末１０が、管理サーバ４０にアクセスする。すると、ＳＴ５２で、管理サーバ４０の図５の認証処理部（プログラム）６８が動作し、アクセスしてきたタブレット型端末１０に、そのＩＤ番号及びパスワードを求める。
すると、タブレット型端末１０は、操作者がタブレット型端末入力装置１５を介してＩＤ番号及びパスワードを入力し、管理サーバ４０へ送信する。
【００７８】
次いで、ＳＴ５３へ進み、管理サーバ４０が、各タブレット型端末１０の認証データを記憶する図３の認証データ記憶部７１を参照し、タブレット型端末１０から入力されたＩＤ番号及びパスワードと一致するか（正しいか）否かを判断する。
【００７９】
ＳＴ５３で、当該タブレット型端末１０のＩＤ番号及びパスワードが正しい場合は、ＳＴ５４へ進む。ＳＴ５４では、管理サーバ４０は、当該タブレット型端末１０が要求する薬紹介コンテンツデータを一括して送信する。
したがって、その後、タブレット型端末１０は、管理サーバ４０との通信がオフラインでも当該薬紹介コンテンツをタブレット型端末ディスプレイ１１に表示させることができる。
【００８０】
次いで、ＳＴ５５へ進む。ＳＴ５５では、製薬会社のＭＲが、自己のタブレット型端末１０を用いて、受信した薬紹介コンテンツを、タブレット型端末ディスプレイ１１に表示させる。このとき、薬紹介コンテンツは、その含む各データ（ＰＤＦデータ、動画データ、テキストデータ等）の表示順（携帯端末表示履歴情報の一例）を操作者（ＭＲ）が選択等することができる構成となっている。
このため、本実施の形態では、タブレット型端末１０の図２の操作履歴データ取得処理部（プログラム）１６が動作し、当該コンテンツを示した医師等の名前、当該コンテンツに含まれるデータ識別番号（枝番）等についての表示履歴を取得し、図２のタブレット型端末側操作履歴データ記憶部１７に記憶する。
具体的には、例えば、予め定めた表示順の通りに、データを表示したか、若しくは、予め定めたデータの表示順を，操作者が変更したか等の実際のデータの表示順データを記憶する。
したがって、実際に、どのＭＲが、どの医師等に対して、薬紹介コンテンツをどのように使用したかについて、正確なデータを取得することができる。
【００８１】
操作者（ＭＲ）による医師等に対する当該薬紹介コンテンツの表示が終了すると、ＳＴ５６へ進む。ＳＴ５６では、タブレット型端末１０は、図２のタブレット型端末識別データ記憶部１８内の自己の識別番号のデータとタブレット型端末側操作履歴データ記憶部１７内のデータを関連付けて、管理サーバ４０へ送信する。
【００８２】
すると、ＳＴ５７で、管理サーバ４０の図５の管理サーバ側操作履歴データ処理部（プログラム）６９が動作し、当該タブレット型端末１０から受信した端末の操作履歴データと関連付けてある端末の識別番号から、図３の売上データ記憶部７６を参照し、当該ＭＲの実績情報である例えば、売上げデータを取得する。
そして、当該ＭＲの売上データと関連付けて、上述の操作履歴データ（端末識別番号付き）を図５の管理サーバ側操作履歴データ記憶部７７に記憶する。
したがって、この管理サーバ側操作履歴データ記憶部７７内のデータを参照することで、売上げが多いＭＲの薬紹介コンテンツの利用法、すなわち、かかるＭＲによる同コンテンツを構成する各データの表示順を把握することができる。そして、このデータにより、当該薬紹介コンテンツを構成するデータの効率的な表示順等を容易に把握することができる。
なお、本発明は上述の実施の形態に限られないことは勿論である。
【符号の説明】
【００８３】
１・・・携帯端末用コンテンツ作成システム、２・・・インターネット網、３・・・基地局、１０・・・タブレット型端末、１１・・・タブレット型端末ディスプレイ、１２・・・タブレット型端末制御部、１３・・・タブレット型端末通信装置、１４・・・タブレット型端末本体、１５・・・タブレット型入力装置、１６・・・操作履歴データ取得処理部（プログラム）、１７・・・タブレット型端末側操作履歴データ記憶部、１８・・・タブレット型端末識別データ記憶部、４０・・・管理サーバ、４１・・・管理サーバ制御部、４２・・・管理サーバ通信装置、４３・・・管理サーバディスプレイ、４４・・・管理サーバ入力装置、５０・・・第１記憶部、５１・・・認証処理部（プログラム）、５２・・・記事データ入力判断処理部（プログラム）、５３・・・入力データ種類特定処理部（プログラム）、５４・・・ＰＤＦデータ判断処理部（プログラム）、５５・・・データ登録処理部、５６・・・画像変換アイコン生成処理部（プログラム）、５７・・・ＰＤＦ頁確認処理部（プログラム）、５８・・・座標データ登録処理部（プログラム）、５９・・・動画データ判断処理部（プログラム）、６０・・・画像データ個数確認処理部（プログラム）、６１・・・編集操作判断処理部（プログラム）、６２・・・ＰＤＦアイコン特定処理部（プログラム）、６３・・・自動表示設定判断処理部（プログラム）、７０・・・第２記憶部、７１・・・認証データ記憶部、７２・・・コンテンツ編集用データベース、７３・・・アイコン記憶部、７４・・・編集済みコンテンツデータ記憶部、７６・・・売上データ記憶部、７７・・・管理サーバ側操作履歴データ記憶部、９０・・・編集端末、９１・・・編集端末制御部、９２・・・編集端末通信装置、９３・・・編集端末ディスプレイ、９４・・・編集端末入力装置、９５・・・各種記憶部
【図１】
0005753729.tif 000002
【図２】
0005753729.tif 000003
【図３】
0005753729.tif 000004
【図４】
0005753729.tif 000005
【図５】
0005753729.tif 000006
【図６】
0005753729.tif 000007
【図７】
0005753729.tif 000008
【図８】
0005753729.tif 000009
【図９】
0005753729.tif 000010
【図１０】
0005753729.tif 000011
【図１１】
0005753729.tif 000012
【図１２】
0005753729.tif 000013